(57)【要約】【課題】既存の冷蔵庫を活用しつつ、ＲＦＩＤタグによる収納物管理を行うことが可能な収納具を提供する。【解決手段】貯蔵庫本体に設けられ、ＲＦＩＤタグが付加された物品を収納する容器を備えた収納具であって、前記容器内に無線信号を出力するアンテナ手段と、前記アンテナ手段を介して、前記物品に付加された前記ＲＦＩＤタグから該物品に関する物品情報を読み取る読取手段と、前記読取手段により読み取られた前記物品情報を表示器に出力する出力手段と、を備える。【選択図】図９
2011027275.tif 000002
【特許請求の範囲】
【請求項１】
貯蔵庫本体に設けられ、ＲＦＩＤタグが付加された物品を収納する容器を備えた収納具であって、
前記容器内に無線信号を出力するアンテナ手段と、
前記アンテナ手段を介して、前記物品に付加された前記ＲＦＩＤタグから該物品に関する物品情報を読み取る読取手段と、
前記読取手段により読み取られた前記物品情報を表示器に出力する出力手段と、
を備えたことを特徴とする収納具。
【請求項２】
前記貯蔵庫本体の所定の部位に設けられた保持機構と連携し、前記容器を前記部位の位置にて保持する保持手段を更に備え、
前記保持手段は、前記保持機構と着脱可能に構成されていることを特徴とする請求項１に記載の収納具。
【請求項３】
前記収納具は、前記貯蔵庫本体に対して引出し可能に設けられることを特徴とする請求項１又は２に記載の収納具。
【請求項４】
前記貯蔵庫本体における前記収納具の開閉状態を検出する検出手段と、
前記検出手段の検出結果に応じて、前記無線信号の出力を開始させる出力制御手段と、
を更に備えたことを特徴とする請求項３に記載の収納具。
【請求項５】
前記アンテナ手段は、前記容器の底面部又は側面部に設けられていることを特徴とする請求項１〜４の何れか一項に記載の収納具。
【請求項６】
前記表示器は、前記収納具と一体的に設けられ、
前記出力手段から出力された前記物品情報を前記表示器に表示させる表示制御手段を更に備えたことを特徴とする請求項１〜５の何れか一項に記載の収納具。
【請求項７】
前記表示器は、前記収納具又は前記貯蔵庫本体に着脱可能なパネル部に設けられ、
前記パネル部は、前記出力手段から出力された前記物品情報を前記表示器に表示させる表示制御手段を備えたことを特徴とする請求項１〜６の何れか一項に記載の収納具。
【請求項８】
前記出力手段は、前記物品情報とともに自己の収納具を識別可能な識別情報を出力し、
前記表示制御手段は、前記出力手段から出力された前記物品情報と前記識別情報との組を関連付けて前記表示器に表示させることを特徴とする請求項７に記載の収納具。
【請求項９】
前記識別情報は、前記貯蔵庫本体において前記収納具が設けられた位置を識別することが可能な情報を含むことを特徴とする請求項８に記載の収納具。
【発明の詳細な説明】
【技術分野】
【０００１】
本発明は、貯蔵庫本体に設けられる収納具に関する。
【背景技術】
【０００２】
近年、スーパーマーケットや洋品店等の小売店では、商品等の物品にＲＦＩＤタグ（無線タグ、ＩＣタグともいう）を付加し、このＲＦＩＤタグが保持する情報に基づいて物品を管理することが行われている。また、ＲＦＩＤリーダ機能を搭載した所謂インテリジェント冷蔵庫を用いることで、家庭内においても、物品のＲＦＩＤタグに保持された情報に基づき、在庫管理や賞味期限の管理を行う技術が提案されている。例えば、特許文献１には、ＲＦＩＤリーダとＲＦＩＤタグから読み取った食品情報を蓄積するデータベースを備える冷蔵庫及び携帯情報端末を利用して、当該冷蔵庫から在庫を確認するシステムが開示されている。
【発明の概要】
【発明が解決しようとする課題】
【０００３】
しかしながら、上記した従来技術のインテリジェント冷蔵庫は、ＲＦＩＤリーダ機能が予め搭載されていることが前提となっているため、ＲＦＩＤタグにより冷蔵庫収納物の管理を行うためには、インテリジェント冷蔵庫を新たに購入する必要がある。そのため、ＲＦＩＤリーダ機能を搭載しない既存の冷蔵庫を活用することができず非経済的である。
【０００４】
本発明は上記に鑑みてなされたものであって、既存の冷蔵庫を活用しつつ、ＲＦＩＤタグによる収納物管理を行うことが可能な収納具を提供することを目的とする。
【課題を解決するための手段】
【０００５】
上述した課題を解決し、目的を達成するために、本発明は、貯蔵庫本体に設けられ、ＲＦＩＤタグが付加された物品を収納する容器を備えた収納具であって、前記容器内に無線信号を出力するアンテナ手段と、前記アンテナ手段を介して、前記物品に付加された前記ＲＦＩＤタグから該物品に関する物品情報を読み取る読取手段と、前記読取手段により読み取られた前記物品情報を表示器に出力する出力手段と、を備えたことを特徴とする。
【発明の効果】
【０００６】
本発明によれば、既存の冷蔵庫を活用しつつ、ＲＦＩＤタグによる収納物管理を行うことが可能な収納具を提供することができる。
【図面の簡単な説明】
【０００７】
【図１】図１は、引出し容器が配される冷蔵庫の斜視図である。
【図２】図２は、図１に示した野菜室の引出し容器を示す図である。
【図３】図３は、図１における野菜室を示す図である。
【図４】図４は、第１の実施形態に係る引出し容器の斜視図である。
【図５】図５は、図４のＡ−Ａ線に沿う断面図である。
【図６】図６は、図４及び図５に示したパネル部の機能構成を示す図である。
【図７】図７は、図６の表示部に表示された表示画面の一例を示す図である。
【図８】図８は、パネル部が実行する物品情報読取処理の手順を示すフローチャートである。
【図９】図９は、第１の実施形態に係るＲＦＩＤ引出し容器を配した冷蔵庫の斜視図である。
【図１０】図１０は、第２の実施形態に係るＲＡＩＤ引出し容器を配した冷蔵庫の斜視図である。
【図１１】図１１は、図１０に示した読取制御部の機能構成を示す図である。
【図１２】図１２は、図１０に示したパネル部の機能構成を示す図である。
【図１３】図１３は、図１２の表示部に表示された表示画面の一例を示す図である。
【図１４】図１４は、図１０に示した読取制御部及びパネル部が実行する物品情報読取処理の手順を示すフローチャートである。
【発明を実施するための形態】
【０００８】
以下、添付図面を参照して、本発明に係る収納具の最良な実施形態を詳細に説明する。なお、以下ではＲＦＩＤタグが付加された物品を貯蔵する貯蔵庫として冷蔵庫（冷凍庫も含む）を用いた例について説明するが、下記実施形態により本発明が限定されるものではない。
【０００９】
［第１の実施形態］
図１は、本実施形態の収納具（ＲＦＩＤ引出し容器）を適用する冷蔵庫１の斜視図である。同図に示すように、冷蔵庫１は、外箱２の内側に図示しない断熱材を介して内箱３により形成した貯蔵空間を断熱仕切壁により複数の貯蔵室等に区分けされている。
【００１０】
冷蔵室１１は、ヒンジ１１１を支点として開閉する開閉扉１１２によってその前面開口部が閉塞されており、該開閉扉１１２を手前に引くことで開扉状態（開口状態）が得られるようになっている。
【００１１】
冷蔵室１１の下部には、仕切板１６を介して野菜等を収納する野菜室１２が形成されている。なお、野菜室１２は冷蔵室１１とほぼ同程度の温度帯であるため、仕切板１６は断熱構造を必要とせず、透明板等で形成されている。
【００１２】
野菜室１２の下方には、断熱仕切板１７を介して比較的小容積の製氷貯氷室１３と温度切替室１４（図３参照）とが左右に区分配置されている。また、その下方には、断熱仕切板１８を介して冷凍食等を収納する冷凍室１５が配置されている。
【００１３】
野菜室１２、製氷貯氷室１３、温度切替室１４及び冷凍室１５の夫々には、冷蔵庫１の前方に向けて引出し可能な引出し容器（２０、３０、４０及び５０）が配されており、この容器内に食材等の物品が収納されるようになっている。
【００１４】
以下、冷蔵庫１に配置された引出し容器の構成について、引出し容器２０を例に説明する。図２は、野菜室１２に配された引出し容器２０の斜視図である。同図に示すように、引出し容器２０は、野菜室１２の前面開口部を閉塞する扉２１と、扉２１に固定された枠体２２と、枠体２２に固定され扉２１の開閉に伴って引出し収納される容器２３とを有して構成されている。
【００１５】
ここで、引出し容器２０の枠体２２には、引出し容器２０（容器２３）を野菜室１２の位置に保持する保持手段としてローラ等の突出部（図示せず）が設けられている。この突出部は、図３に示す野菜室１２の両側面に設けられた保持機構としてのレール部材１１３に嵌り込むように形成されている。すなわち、引出し容器２０は、レール部材１１３と枠体２２に設けられた突出部との係合による摺動によって、冷蔵庫１の前後方向に引出し可能に構成されている。ここで、図３は、図１に示した野菜室１２を示す図である。
【００１６】
なお、各引出し容器は、レール部材１１３又は枠体２２に設けられた図示しないロック機構により、冷蔵庫１からの離脱が抑止されているものとするが、該ロック機構を解除することで、突出部はレール部材１１３と着脱可能、即ち、冷蔵庫１から引出し容器２０を取り外すことが可能に構成されている。
【００１７】
ところで、図１は、物品の冷蔵及び冷凍を行う通常の冷蔵庫を示したものであるが、引出し容器２０、３０、４０及び５０の何れか又は全てを、後述するＲＦＩＤ引出し容器６０と取り替えることで、冷蔵庫１にＲＦＩＤタグの読み取り機能を追加することが可能である。
【００１８】
以下、既存の引出し容器２０、３０，４０及び５０と代替的に用いられるＲＦＩＤ引出し容器６０について説明する。なお、以下ではＲＦＩＤ引出し容器６０を、引出し容器３０と取り替えて用いる場合を例に説明を進める。
【００１９】
図４は、本実施形態に係るＲＦＩＤ引出し容器６０の斜視図である。また、図５は、図４のＡ−Ａ線に沿う断面図である。ＲＦＩＤ引出し容器６０は、引出し容器２０と同様の扉２１、枠体２２及び容器２３を有して構成されるとともに、引出し容器６０に固有の構成として、容器２３の底面部に設けられたアンテナ部６１と、扉２１と一体的に設けられたパネル部６２とを備えている。
【００２０】
アンテナ部６１は、容器２３の底面部に設けられ、該容器２３の上方に指向性を有するＲＦＩＤ用のアンテナである。なお、本実施形態では、容器２３の外側にアンテナ部６１を設けた形態をしめしたが、これに限らず、内側に設ける形態としてもよい。また、本実施形態では、アンテナ部６１を容器２３の底部に設ける形態としたが、容器２３内に無線信号を出力可能な位置であれば、この位置に限らず、例えば、容器２３の内部方向に指向性を有するよう、容器２３の側面部に設ける形態としてもよい。
【００２１】
パネル部６２は、扉２１と一体的に設けられており、扉２１の前面側に設けられた表示部６２４を有し、アンテナ部６１を用いてのＲＦＩＤタグの読み取りと、読み取った情報の表示とを制御するものである。以下、図６を参照して、パネル部６２の構成について説明する。
【００２２】
図６は、パネル部６２の機能構成を示す図である。同図に示すように、パネル部６２は、開扉検出部６２１と、ＲＦＩＤ読取制御部６２２と、表示制御部６２３と、表示部６２４と、メモリ部６２５と、電源部６２６とを備えている。
【００２３】
開扉検出部６２１は、ＲＦＩＤ引出し容器６０が開扉されたことを検出し、その検出信号をＲＦＩＤ読取制御部６２２に出力するものである。この開扉検出部６２１は、例えば、加速度センサや照度センサを用いて実現することができる。具体的に、加速度センサを用いた場合、ＲＦＩＤ引出し容器６０の開扉に伴い発生する加速度（冷蔵庫１の前面方向への加速度）をセンシングすることで、ＲＦＩＤ引出し容器６０の開扉を検出することが可能である。また、照度センサを用いた場合、容器２３内の照度をセンシングし、ＲＦＩＤ引出し容器６０が開扉されることで生じる照度の変化、具体的には、暗から明への変化を検出することで、ＲＦＩＤ引出し容器６０の開扉を検出することが可能である。
【００２４】
ＲＦＩＤ読取制御部６２２は、アンテナ部６１を介して、容器２３に収納される物品に付加されたＲＦＩＤタグから各種情報（以下、物品情報という）を読み取るためのＲＦＩＤリーダを有し、開扉検出部６２１からの検出信号をトリガにアンテナ部６１の無線信号出力を開始することで、ＲＦＩＤタグの読み取りを行う。なお、ＲＦＩＤタグの読み取りを継続する期間は特に問わず、例えば、検出信号が入力されてから所定期間（３分間等）としてもよいし、開扉検出部６２１として照度センサを用いた場合には、検出信号の入力が停止するまでとしてもよい。
【００２５】
また、ＲＦＩＤ読取制御部６２２は、アンテナ部６１を介してＲＦＩＤタグに格納された物品情報を読み取ると、この物品情報をメモリ部６２５に記憶させる。なお、物品情報には、該物品情報を保持するＲＦＩＤタグが付加された物品についての各種情報が含まれるものとし、例えば、各物品を識別するための識別コードや物品名、製造年月日、賞味期限、消費期限等が挙げられる。
【００２６】
表示制御部６２３は、表示部６２４を制御するための機能部であって、メモリ部６２５に記憶された物品情報を読み出し、表示部６２４に表示させる。なお、表示制御部６２３がメモリ部６２５にアクセスするタイミングは、特に問わず、例えば、所定の時間（１分等）毎に行う形態としてもよいし、メモリ部６２５の記憶内容が更新される毎に行う形態としてもよい。
【００２７】
表示部６２４は、電子ペーパー、ＬＣＤ（Liquid  Crystal  Display）、有機ＥＬ（Organic  Electro  Luminescence）等の表示パネルを有し、表示制御部６２３の制御に従い、メモリ部６２５に記憶された物品情報を表示する。
【００２８】
メモリ部６２５は、半導体記憶装置等の記憶媒体であって、ＲＦＩＤ読取制御部６２２の制御に従い、このＲＦＩＤ読取制御部６２２が読み取った物品情報を記憶する。
【００２９】
電源部６２６は、パネル部６２の各部に駆動電力を供給する電池等の電源装置である。本実施形態では、電源部６２６として電池を用いることを想定しているが、冷蔵庫１の電源（図示せず）と接続可能な構成の場合には、この電源からパネル部６２に必要な電力を生成する電源回路を電源部６２６としてもよい。
【００３０】
図７は、上述した表示制御部６２３の制御により、表示部６２４に表示された表示画面の一例を示す図である。同図では、物品情報の内訳として、品名（白菜、大根、人参等）と、賞味期限／消費期限（２００９／０６／２６等）とを関連付けて表示している。なお、表示の形態は図７の例に限らず、物品情報に含まれる他の情報（例えば、製造年月日等）を表示する形態としてもよい。
【００３１】
以下、図８を参照して、パネル部６２の動作について説明する。ここで、図８は、パネル部６２が実行する物品情報読取処理の手順を示すフローチャートである。
【００３２】
まず、開扉検出部６２１は、ＲＦＩＤ引出し容器６０の状態を監視し（ステップＳ１１；Ｎｏ）、ＲＦＩＤ引出し容器６０の開扉を検出すると（ステップＳ１１；Ｙｅｓ）、その検出信号をＲＦＩＤ読取制御部６２２へ出力する（ステップＳ１２）。
【００３３】
ＲＦＩＤ読取制御部６２２は、開扉検出部６２１からの検出信号をトリガとし、アンテナ部６１を駆動させ無線信号出力を開始させる（ステップＳ１３）。続いて、ＲＦＩＤ読取制御部６２２は、アンテナ部６１を介し、容器２３の各物品に付加されたＲＦＩＤタグから物品情報を読み取ると（ステップＳ１４）、これらの物品情報をメモリ部６２５に記憶させる（ステップＳ１５）。
【００３４】
一方、表示制御部６２３では、メモリ部６２５に記憶された物品情報を読み出し（ステップＳ１６）、この読み出した物品情報を表示部６２４に表示させた後（ステップＳ１７）、本処理を終了する。
【００３５】
以上の処理により、容器２３に収納された物品についての物品情報が、表示部６２４に表示される。これにより、ユーザは、表示部６２４を参照することで、ＲＦＩＤ引出し容器６０に収納されている物品を把握することができるため、該物品の管理を行うことが容易となる。
【００３６】
図９は、第１の実施形態に係るＲＦＩＤ引出し容器６０を配した冷蔵庫１の斜視図である。同図のように、図１に示す既存の構成の冷蔵庫１の引出し容器２０を、ＲＦＩＤリーダ機能を備えたＲＦＩＤ引出し容器６０と取り替えることで、冷蔵庫１にＲＦＩＤリーダ機能を付加することができる。なお、図９において、引出し容器９１及び棚容器９２については後述する。
【００３７】
本実施形態では、冷蔵庫１が備える引出し容器のうち、引出し容器２０のみをＲＦＩＤ引出し容器と取り替えることとしたが、これに限らず、他の引出し容器３０、４０及び５０についても、ＲＦＩＤ引出し容器６０と取り替えることが可能である。なお、この場合、ＲＦＩＤ引出し容器６０の扉２１、枠体２２及び容器２３は、配置される貯蔵室に応じたサイズのものが適用されるものとする。
【００３８】
以上のように、本実施形態によれば、冷蔵庫１に配された既存の引出し容器と代替可能なＲＦＩＤ引出し容器を用いることで、既存の冷蔵庫を活用しつつ、当該冷蔵庫に収納された物品の管理を、この物品に付加されたＲＦＩＤタグを用いて行うことが可能となる。
【００３９】
［第２の実施形態］
次に、第２の実施形態について説明する。上述した第１の実施形態では、表示部６２４がＲＦＩＤ引出し容器６０と一体的に設けられた構成について説明した。この構成の場合、複数の貯蔵室夫々にＲＦＩＤ引出し容器６０を配置すると、各ＲＦＩＤ引出し容器６０に備えられた表示部６２４を夫々確認する必要があるため、確認動作が煩雑になる。そこで、本実施形態では、複数の貯蔵室にＲＦＩＤ引出し容器を配置した場合であっても、物品情報の確認を容易に行うことが可能な構成について説明する。なお、上述した第１の実施形態と同様の構成については、同一の符号を付与し説明を省略する。
【００４０】
図１０は、第２の実施形態に係るＲＡＩＤ引出し容器を配した冷蔵庫１の斜視図である。同図において、ＲＡＩＤ引出し容器７０ａは、図１に示す引出し容器２０と取り替え可能なＲＦＩＤ引出し容器であって、引出し容器２０と同様の外観形状を有している。また、ＲＦＩＤ引出し容器７０ｂは、図１に示す引出し容器５０と取り替え可能なＲＦＩＤ引出し容器であって、引出し容器５０と同様の外観形状を有している。
【００４１】
ＲＦＩＤ引出し容器７０ａ及びＲＦＩＤ引出し容器７０ｂの容器２３の底部には、上述したＲＦＩＤ引出し容器６０と同様、アンテナ部（図示せず）が夫々設けられている。また、ＲＦＩＤ引出し容器７０ａ及びＲＦＩＤ引出し容器７０ｂの扉２１の背面部には、ＲＦＩＤ読取部７１ａ、７１ｂが夫々設けられ、各容器２３のアンテナ部と接続されている。なお、ＲＦＩＤ読取部７１ａ及び７１ｂは、同様の構成を有するため、以下では総称してＲＦＩＤ読取部７１という。
【００４２】
図１１は、ＲＦＩＤ読取部７１の機能構成を示す図である。同図に示すように、ＲＦＩＤ読取部７１は、上述した開扉検出部６２１及びＲＦＩＤ読取制御部６２２に加え、第１メモリ部７１１と、第１無線通信部７１２と、第１電源部７１３とを備えている。
【００４３】
第１メモリ部７１１は、メモリ部６２５と同様の記憶媒体であって、ＲＦＩＤ読取制御部６２２の制御に従い、このＲＦＩＤ読取制御部６２２が読み取った物品情報を記憶する。
【００４４】
第１無線通信部７１２は、後述するパネル部８０と無線通信を行う無線通信装置である。具体的に、第１無線通信部７１２は、メモリ部６２５の記憶状態を監視し記憶内容の更新を検出すると、第１メモリ部７１１に記憶された物品情報を、自己のＲＦＩＤ引出し容器の識別情報とともにパネル部８０へ送信する。
【００４５】
ここで、識別情報とは、各ＲＦＩＤ引出し容器を識別するための情報であって、該ＲＦＩＤ引出し容器が配される位置を識別することが可能な情報（例えば、配置先となる貯蔵室名等）を含んでいる。例えば、本実施形態の場合、野菜室１２用のＲＦＩＤ引出し容器か、冷凍室１５用のＲＦＩＤ引出し容器かを識別可能な情報が識別情報に含まれることになる。なお、第１無線通信部７１２の無線通信の方式は特に問わず、例えば、ＢｌｕｅｔｏｏｔｈやＺｉｇＢｅｅ等の近距離無線通信方式を用いることが可能である。
【００４６】
第１電源部７１３は、ＲＦＩＤ読取部７１の各部に駆動電力を供給する電池等の電源装置である。本実施形態では、第１電源部７１３として電池を用いることを想定しているが、冷蔵庫１の電源（図示せず）と接続可能な構成の場合には、この電源からＲＦＩＤ読取部７１に必要な電力を生成する電源回路を第１電源部７１３としてもよい。
【００４７】
図１０に戻り、パネル部８０は、上述した表示部６２４を備える表示装置であって、表示部６２４との対向面に設けられた取付部（図示せず）の作用により、冷蔵庫１（開閉扉１１２）の側面に着脱可能に取付けることが可能となっている。なお、取付部の形態は特に問わないものとするが、例えばマグネットを用いることで、該マグネットによる磁力作用により、冷蔵庫１の金属面に着脱可能に取付けることが可能である。以下、パネル部８０の構成について説明する。
【００４８】
図１２は、パネル部８０の機能構成を示す図である。同図に示すように、パネル部８０は、上述した表示部６２４に加え、第２無線通信部８０１と、第２メモリ部８０２と、表示制御部８０３と、第２電源部８０４とを備えている。
【００４９】
第２無線通信部８０１は、第１無線通信部７１２と同通信規格の無線通信装置であって、第１無線通信部７１２から受信した物品情報及び識別情報の組を、第２メモリ部８０２に関連付けて記憶させる。
【００５０】
第２メモリ部８０２は、メモリ部６２５と同様の記憶媒体であって、第２無線通信部８０１の制御に従い、この第２無線通信部８０１が受信した物品情報と識別情報との組を関連付けて記憶する。
【００５１】
表示制御部８０３は、表示部６２４を制御するための機能部であって、第２メモリ部８０２に記憶された物品情報及び識別情報の各組を読み出し、両情報を関連付けた状態で表示部６２４に表示させる。
【００５２】
ここで、図１３は、表示制御部８０３の制御により、表示部６２４に表示された表示画面の一例を示す図である。なお、同図は、ＲＦＩＤ引出し容器７０ａ及び７０ｂのＲＦＩＤ読取部７１から夫々送信された、物品情報及び識別情報の各組に対応している。
【００５３】
図１３において、「収納場所」欄には、識別情報から判明する、ＲＦＩＤ引出し容器の貯蔵室名（野菜室、冷凍室）が表示されている。また、貯蔵室名（識別情報）と関連付けて、当該識別情報と組を成す物品情報に含まれた物品名が「品名」欄に表示され、賞味期限／消費期限が「賞味／消費期限」欄に表示されている。なお、物品情報及び識別情報の表示形態は図１３の例に限らず、物品情報に含まれる他の情報を表示する形態としてもよい。
【００５４】
図１２に戻り、第２電源部８０４は、パネル部８０の各部に駆動電力を供給する電池等の電源装置である。本実施形態では、第２電源部８０４として電池を用いることを想定しているが、冷蔵庫１の電源（図示せず）と接続可能な構成の場合には、この電源からパネル部８０に必要な電力を生成する電源回路を第２電源部８０４としてもよい。
【００５５】
以下、図１４を参照して、ＲＦＩＤ読取部７１及びパネル部８０の動作について説明する。ここで、図１４は、ＲＦＩＤ読取部７１及びパネル部８０が実行する物品情報読取処理の手順を示すフローチャートである。なお、ステップＳ２１〜Ｓ２５は、上述した図８の物品情報読取処理のステップＳ１１〜Ｓ１５と同様であるため、説明を省略する。
【００５６】
第１無線通信部７１２は、ステップＳ２５に伴い、第１メモリ部７１１の記憶内容の更新を検出すると、この第１メモリ部７１１に記憶された物品情報を、自己のＲＦＩＤ引出し容器の識別情報とともにパネル部８０へ送信する（ステップＳ２６）。
【００５７】
一方、パネル部８０では、第２無線通信部８０１が、第１無線通信部７１２から物品情報及び識別情報の組を受信すると、組毎に関連付けて第２メモリ部８０２に記憶させる（ステップＳ２７）。続いて、表示制御部８０３は、第２メモリ部８０２に記憶された物品情報及び識別情報の各組を読み出し（ステップＳ２８）、表示部６２４に表示させ（ステップＳ２９）、本処理を終了する。
【００５８】
以上のように、本実施形態によれば、ＲＦＩＤ読取部７１の各々で得られた物品情報を、一のパネル部８０（表示部６２４）に集約して表示することができる。これにより、ユーザは、表示部６２４を参照することで、各ＲＦＩＤ引出し容器に収納された物品を把握することができるため、物品管理に係る管理をより容易に行うことが可能となる。
【００５９】
以上、本発明の実施の形態について説明したが、本発明はこれに限定されるものではなく、本発明の主旨を逸脱しない範囲での種々の変更、置換、追加等が可能である。
【００６０】
例えば、上記実施形態では、ＲＦＩＤ引出し容器の容器底部にアンテナ部６１を設ける形態としたが、該ＲＦＩＤ引出し容器の下部に配された他のＲＦＩＤ引出し容器からの電波（無線信号）を遮断するため、アンテナ部６１の下部に電波シールドを設ける形態としてもよい。
【００６１】
また、上記実施形態では、ＲＦＩＤ引出し容器を、冷蔵庫１に配された既存の引出し容器と取り替える形態について説明したが、これに限らず、冷蔵庫１にＲＦＩＤ引出し容器を配置する形態としてもよい。
【００６２】
また、上記実施形態では、ＲＦＩＤ引出し容器の開扉をトリガに、ＲＦＩＤタグの読み取りを開始する形態としたが、これに限らず、ＲＦＩＤ引出し容器の閉扉をトリガに、ＲＦＩＤタグの読み取りを開始する形態としてもよい。なお、ＲＦＩＤ引出し容器の開扉の検出は、開扉検出部６２１と同様、加速度センサや照度センサを用いて実現することができる。具体的に、加速度センサを用いた場合、冷蔵庫１本体方向（冷蔵庫１背面方向）への加速度をセンシングすることで、ＲＦＩＤ引出し容器の閉扉を検出することが可能である。また、照度センサを用いた場合、容器２３内の照度をセンシングし、ＲＦＩＤ引出し容器が閉扉されることで生じる照度の変化、具体的には、明から暗への変化を検出することで、ＲＦＩＤ引出し容器の閉扉を検出することが可能である。
【００６３】
また、上記実施形態では、本発明に係る収納具を冷蔵庫１に適用した例を示したが、引出し容器を配置することが可能な洋服タンス等の貯蔵庫本体であれば、その対象は問わないものとする。例えば、図９に示した冷蔵庫１において、冷蔵室１１内に配置された引出し容器９１に、本発明に係る収納具を適用する形態としてもよい。
【００６４】
なお、ＲＦＩＤ引出し容器の外観形状は、適用される貯蔵庫の引出し容器の外観形状に応じて成形されるものとする。例えば、ＲＦＩＤ引出し容器が備える保持手段は、冷蔵庫１の保持機構に応じたものが取付けられるものとする。また、冷蔵庫１に保持機構が存在しない場合には、枠体２２を設けない構成としてもよいし、扉２１と容器２３とを一体的に構成してもよい。
【００６５】
また、上記実施形態では、本発明に係る収納具を引出し型としたが、これに限らず、貯蔵庫の庫内や既存の引出し容器内を区分けするための棚容器（例えば、図９の棚容器９２）に適用する形態としてもよい。なお、収納具の外観形状は、適用される棚容器の外観形状に応じて成形されるものとする。
【産業上の利用可能性】
【００６６】
以上のように、本発明に係る収納具は、冷蔵庫等の貯蔵庫に設けられ、ＲＦＩＤタグが付加された物品を収納する収納具に有用である。
【符号の説明】
【００６７】
１  冷蔵庫
２  外箱
３  内箱
１１  冷蔵室
１２  野菜室
１３  製氷貯氷室
１４  温度切替室
１５  冷凍室
１６  仕切板
１７、１８  断熱仕切板
１１１  ヒンジ
１１２  開閉扉
１１３  レール部材
２０、３０、４０、５０  引出し容器
２１  扉
２２  枠体
２３  容器
６０  ＲＦＩＤ引出し容器
６１  アンテナ部
６２  パネル部
６２１  開扉検出部
６２２  ＲＦＩＤ読取制御部
６２３  表示制御部
６２４  表示部
６２５  メモリ部
６２６  電源部
７０ａ、７０ｂ  ＲＦＩＤ引出し容器
７１  ＲＦＩＤ読取部
７１１  第１メモリ部
７１２  第１無線通信部
７１３  第１電源部
８０  パネル部
８０１  第２無線通信部
８０２  第２メモリ部
８０３  表示制御部
８０４  第２電源部
９１  引出し容器
９２  棚容器
【先行技術文献】
【特許文献】
【００６８】
【特許文献１】特開２００１−３１９０４３公報
【図１】
2011027275.tif 000003
【図２】
2011027275.tif 000004
【図３】
2011027275.tif 000005
【図４】
2011027275.tif 000006
【図５】
2011027275.tif 000007
【図６】
2011027275.tif 000008
【図７】
2011027275.tif 000009
【図８】
2011027275.tif 000010
【図９】
2011027275.tif 000011
【図１０】
2011027275.tif 000012
【図１１】
2011027275.tif 000013
【図１２】
2011027275.tif 000014
【図１３】
2011027275.tif 000015
【図１４】
2011027275.tif 000016